(57)【特許請求の範囲】
【請求項１】
つま先から踵への方向（Ｘ）に延び、かつ前記つま先から踵への方向（Ｘ）によってその対向する両側（７Ａ、７Ｂ）が定められた側（７）によって外周が境界づけられた接地面（５）を有する弾力性のある構造部材を備える履物の底（１）であって、当該底（１）は、前記つま先から踵への方向（Ｘ）を横切って延び、かつ前記対向する両側（７Ａ、７Ｂ）まで開いた複数の切り込み（８）を有し、前記切り込み（８）は、接地面（５）から当該底の中に第１の深さ（１０）まで延びる第１の部分（９）と、前記第１の部分（９）の下側の出口（１６）から当該底の中にさらなる深さ（１２）まで延びる第２の部分（１１）と、を備え、前記第１の部分（９）は、前記切り込み（８）の長手方向（Ｙ）に対して横方向に測って、前記第２の部分（１１）の対応する幅（１４）よりも狭い幅（１３）を有し、少なくとも前記切り込み（８）の前記第２の部分（１１）は、当該底（１）の側（７）を貫通しており、当該底（１）は、前記切り込み（８）の前記第２の部分（１１）の底部で開く通気穴（１５）を備え、
前記切り込み（８）の幅は、前記第１の部分（９）と前記第２の部分（１１）との間の移行領域で不連続に変化することを特徴とする、履物の底。
【請求項２】
前記切り込み（８）は、Ｔ型の横断面を有する、請求項１に記載の履物の底。
【請求項３】
つま先から踵への方向（Ｘ）に延び、かつ前記つま先から踵への方向（Ｘ）によってその対向する両側（７Ａ、７Ｂ）が定められた側（７）によって外周が境界づけられた接地面（５）を有する弾力性のある構造部材を備える履物の底（１）であって、当該底（１）は、前記つま先から踵への方向（Ｘ）を横切って延び、かつ前記対向する両側（７Ａ、７Ｂ）まで開いた複数の切り込み（８）を有し、前記切り込み（８）は、接地面（５）から当該底の中に第１の深さ（１０）まで延びる第１の部分（９）と、前記第１の部分（９）の下側の出口（１６）から当該底の中にさらなる深さ（１２）まで延びる第２の部分（１１）と、を備え、前記第１の部分（９）は、前記切り込み（８）の長手方向（Ｙ）に対して横方向に測って、前記第２の部分（１１）の対応する幅（１４）よりも狭い幅（１３）を有し、少なくとも前記切り込み（８）の前記第２の部分（１１）は、当該底（１）の側（７）を貫通しており、当該底（１）は、前記切り込み（８）の前記第２の部分（１１）の底部で開く通気穴（１５）を備え、
前記第１の部分（９）は、前記切り込み（８）が、当該底が平らな状態では両側（７Ａ、７Ｂ）の少なくとも近くの第１の部分（９）で閉じており、かつまた、前記当該底が曲げられた状態では両側（７Ａ、７Ｂ）の近くで本のような構造（ｂｏｏｋ−ｌｉｋｅ  ｃｏｎｆｉｇｕｒａｔｉｏｎ）で開いているような薄層構造（ｌａｍｉｎａｒ  ｆｏｒｍａｔｉｏｎ）を有することを特徴とする、履物の底。
【請求項４】
つま先から踵への方向（Ｘ）に延び、かつ前記つま先から踵への方向（Ｘ）によってその対向する両側（７Ａ、７Ｂ）が定められた側（７）によって外周が境界づけられた接地面（５）を有する弾力性のある構造部材を備える履物の底（１）であって、当該底（１）は、前記つま先から踵への方向（Ｘ）を横切って延び、かつ前記対向する両側（７Ａ、７Ｂ）まで開いた複数の切り込み（８）を有し、前記切り込み（８）は、接地面（５）から当該底の中に第１の深さ（１０）まで延びる第１の部分（９）と、前記第１の部分（９）の下側の出口（１６）から当該底の中にさらなる深さ（１２）まで延びる第２の部分（１１）と、を備え、前記第１の部分（９）は、前記切り込み（８）の長手方向（Ｙ）に対して横方向に測って、前記第２の部分（１１）の対応する幅（１４）よりも狭い幅（１３）を有し、少なくとも前記切り込み（８）の前記第２の部分（１１）は、当該底（１）の側（７）を貫通しており、当該底（１）は、前記切り込み（８）の前記第２の部分（１１）の底部で開く通気穴（１５）を備え、
前記接地面（５）には足前方領域（２）から足中央領域（３）を通って足後方領域（４）へ前記つま先から踵への方向（Ｘ）に延びる１個以上の軽量化領域（２０）が形成されており、前記軽量化領域（２０）の幅は、足中央領域（３）に向かって広くなり、足前方領域（２）及び足後方領域（４）に向かって先細になっていることを特徴とする、履物の底。
【請求項５】
前記軽量化領域（２０）は、前記第２の部分（１１）まで延びている、請求項４に記載の履物の底。
【請求項６】
前記軽量化領域（２０）は、曲がって延びている、請求項４又は５に記載の履物の底。
【請求項７】
前記軽量化領域（２０）は、曲がって延びて、中間で湾曲している、請求項６に記載の履物の底。
【請求項８】
前記第１の部分（９）は、その第１の深さ（１０）全体に渡って一定の幅（１３）を有する、請求項１〜７のいずれか一項に記載の履物の底。
【請求項９】
前記第１の部分（９）の前記第１の深さ（１０）は、前記第２の部分（１１）の前記さらなる深さ（１２）の半分以上の長さ（ｅｘｔｅｎｔ）を有する、請求項１〜８のいずれか一項に記載の履物の底。
【請求項１０】
前記切り込み（８）の第２の部分（１１）は、第１の部分（９）の幅の倍数の幅を有する、請求項１〜９のいずれか一項に記載の履物の底。
【請求項１１】
前記接地面（５）から当該底の中に各深さ（１０’）に渡って延び、かつ一定の幅（１３’）を有する第２の切り込み（８’）をさらに備え、
前記第２の切り込み（８’）は、前記底（１）が平らな状態では、前記底（１）が曲げられた状態よりも閉じる構造のみを有する、請求項１〜１０のいずれか一項に記載の履物の底。
【請求項１２】
前記第２の切り込み（８’）は、前記切り込み（８）の前記第１の部分（９）における対応する深さ（１０）及び幅（１３２）と等しい深さ（１０’）及び幅（１３’）を有する、請求項１１に記載の履物の底。
【請求項１３】
前記第２の切り込み（８’）は、足前方領域（２）及び／又は足後方領域（４）に集中している、請求項１１又は１２に記載の履物の底。
【請求項１４】
前記切り込み（８）は、足中央領域（３）に集中している、請求項１〜１３のいずれか一項に記載の履物の底。
【請求項１５】
前記切り込み（８）の前記第１の部分（９）は、レーザー切断で形成された、前記底（１）が平らな状態では、前記底（１）が曲げられた状態よりも閉じる構造を有する、請求項１〜１４のいずれか一項に記載の履物の底。
【発明の詳細な説明】
【技術分野】
【０００１】
本発明は、独立請求項の前提部に記載された特徴を備える類の履物の底に関する。
【背景技術】
【０００２】
上記の特徴を備える底は、例えば特許文献１で知られる。滑り止め特性を有し、特には湿潤表面に好適な底を、特許文献１は開示している。該底はゴムで製造され、多数の隙間を備え、該隙間は接地面に、つま先から踵への縦方向に対して横に形成されている。隙間に関して最大で底自体の厚さの中間に達してもよい重いブーツ（例えば、ハンティングブーツ）のための底の場合を除いて、当該隙間は狭い幅と制限された深さとを有する。
【０００３】
上記の底は、上述の特徴が主に関与するものである技術的な履物を製造するのにかなり適している。
【０００４】
滑り止め特性を有する別の底が特許文献２に記載されている。当該文献は、接触面に広がる複数の溝を備える履物の底を開示する。当該溝の両端は、底の対向する外側壁に抜けている。当該溝は開口部を介して底の接触面でさらに開いており、該開口部はこの開口部の最大幅よりも狭い幅を有する。
【０００５】
また、多数の穴が広がり、かつ接地面に対して反対の表面が半透過性の織物の障壁で少なくとも部分的に覆われた底を組み立てることも知られている。その解決の例が特許文献３に記載されている。
【先行技術文献】
【特許文献】
【０００６】
【特許文献１】米国特許第２１６２９１２号明細書
【特許文献２】米国特許出願公開第２００７／００３３８３７号明細書
【特許文献３】米国特許出願公開第２００２／０１８９１３１号明細書
【発明の概要】
【発明が解決しようとする課題】
【０００７】
これらの底は、穴が履物内の足の通気を可能にする一方、障壁が蒸気を通過させつつも水の通過を防ぐため、足からの水分の蒸散を改善するのに使用される。しかし、これらの底は、穴の一時的な封鎖、または穴の部分的な封鎖等の、封鎖の可能性があり、それを除去するまでは、蒸散の望ましい効果を減らしてしまう。
【０００８】
本発明で対処される課題は、底の柔軟性を向上させるとともに、その蒸散性を促進させ、通気穴の封鎖を防ぐことができる履物の底を提供することである。本発明の他の目的は、安定性と美的外観とを損なうことなく、履物を軽くすることである。
【課題を解決するための手段】
【０００９】
この課題は解決され、上記目的は添付された特許請求の範囲に応じた底を用いる本発明によって達成される。
【００１０】
本発明の特徴及び利点は、好ましいが非排他的な実施の形態に係る以下の詳細な説明により良好に理解され、当該実施の形態は添付の図面を参照して限定しない例として説明される。
【図面の簡単な説明】
【００１１】
【図１】本発明に係る履物の底の透視図である。
【図２Ａ】使用状態における本発明に係る底の部分図である。
【図２Ｂ】使用状態における本発明に係る底の部分図である。
【図３Ａ】本発明に係る履物の底の平面図である。
【図３Ｂ】切断面Ａで切断した図３Ａの底の横断面図である。
【図３Ｃ】切断面Ｂで切断した図３Ａの底の横断面図である。
【図４】図１の詳細な図である。
【図５Ａ】本発明に係る底の実施の形態の概略図である。
【図５Ｂ】本発明に係る底の実施の形態の概略図である。
【図６Ａ】本発明に係る底の実施の形態の図である。
【図６Ｂ】本発明に係る底の実施の形態の図である。
【図６Ｃ】本発明に係る底の実施の形態の図である。
【発明を実施するための形態】
【００１２】
図面には、履物の底が１で示されており、底１は、Ｘで示されているつま先から踵への方向に沿って隣接する足前方領域２、足中央領域３及び足後方領域４をそれぞれ特定する弾力性のある構造部材を備える。
【００１３】
示された例では、足前方領域２、足中央領域３及び足後方領域４は、実質的に同一平面上にあり、概して接地面５を定め、接地面５は側７によって外周が境界づけられている。接地面は、歩く際に通常は底を支持するものである。
【００１４】
つま先から踵への方向Ｘは、底１の側７に、内側７Ａとそれに対向する外側７Ｂとを定める。底の３つの領域が同一平面上にあるものが解決例として示されているが、それらが異なる平面に配置されてもよく、概して他の領域に対して浮き出ている足後方領域４を備えることがさらに考慮される。
【００１５】
好ましい実施の形態では、接地面５は、つま先から踵への方向Ｘを横切って延びる切り込み８を有する。好ましくは、切り込み８は底１の対応する側７に至るまで開けられており、対向する側７Ａと７Ｂとの間を延びている。言い換えると、切り込み８は、側７の内側７Ａから外側７Ｂまで底１を完全に貫通している。
【００１６】
ここで図４を参照して、足中央領域３における好ましい実施の形態によれば、切り込み８は、接地面５から底の中に第１の深さ１０まで延びる薄層構造の第１の部分９と、第１の部分９の下側の出口１６から底の中に他の深さ１２まで延びる第２の部分１１と、を備える。
【００１７】
本発明の文脈の中で、用語“薄層構造（ｌａｍｉｎａｒ  ｆｏｒｍａｔｉｏｎ）”」は、切り込み８が図２Ａに示されるように底が平らな状態では少なくとも側７Ａ、７Ｂの領域において第１の部分９ではほとんど完全に閉じていること、そしてまた、図２Ｂに示されるように底が曲げられた状態では側７の側７Ａ、７Ｂの領域において本のような構造（ｂｏｏｋ−ｌｉｋｅ  ｃｏｎｆｉｇｕｒａｔｉｏｎ）で開いていることを意味すると理解されるべきである。例として、薄層構造を有する切り込み８の第１の部分９をレーザー切断機によって得ることで、部分９に要求される精密さが確保され、その結果、上述の特徴を実際に有することができる。
【００１８】
さらに、好ましい実施の形態によれば、第１の部分９は深さ１０を有し、深さ１０は第２の部分１１の深さ１２の少なくとも半分に等しい長さ（ｅｘｔｅｎｔ）である。さらに好ましくは、第１の部分と第２の部分とは実質的に同じ深さを有する。
【００１９】
ここで図３Ａ〜３Ｃを参照して、好ましい実施の形態によれば、切り込み８は足中央領域３のみに設けられる。
【００２０】
好ましくは、底１は複数の補助的な切り込み８’を備え、切り込み８’は足前方領域２及び足後方領域４に形成される。
【００２１】
好ましい実施の形態によれば、足前方領域２及び足後方領域４における補助的な切り込み８’は、足中央領域３における切り込み８よりも密集しており、広く離間している。この特徴は、異なる領域における底の特性の差異に寄与するうえ、切り込み８と補助的な切り込み８’との間の構造的な違いを考慮して以下でさらに詳しく説明される。
【００２２】
実施の形態では、補助的な切り込み８’は、足中央領域３における切り込み８とは違って、図３Ｃに示されるように、その深さ全体に渡って第１の部分９’の薄層構造のみに限定されてもよい。
【００２３】
好ましくは、付加的な切り込み８’の第１の部分９’の深さは、概して、足中央領域３の切り込み８の第１の部分９の深さ１０と同等である。しかし、これらの領域における補助的な切り込み８’の深さは、足中央領域３の対応する切り込み８の薄層部分９の深さと異なって設けられている。
【００２４】
好ましくは、切り込み８及び８’は、底１のつま先から踵への方向Ｘを横切って長手に延び、横断の入射角は一定（概して９０°、図１及び図３Ａ〜３Ｃ）であってもよく、あるいはつま先から踵への方向Ｘに対して変化してもよい（図５Ａ及び５Ｂ）。
【００２５】
再び図４を参照して、好ましい実施の形態によれば、足中央領域３において、切り込み８は、切り込み８の長手方向に対して横方向に測って、第２の部分１１の対応する幅１４に対して狭い第１の部分９における幅１３を有する。
【００２６】
好ましくは、第１の部分９は、その深さ１０全体に渡って一定である幅１３を有する。
【００２７】
好ましくは、第１の部分９と第２の部分１１との間の幅は、第１の部分９と第２の部分１１との間の移行領域で不連続に変化する。このように、第１の部分９に沿って薄層が延びた状態で、切り込み８が十分閉じたままに維持される。また、これは、上述のように、第１の部分９の深さ１０が第２の部分１１の深さ１２の少なくとも半分に等しいことで助長される。
【００２８】
好ましい実施の形態では、切り込み８の横断面は、実質的にＴ型である。
【００２９】
言い換えると、第１の部分９と第２の部分１１に沿った切り込み８は、深さに関してその長さ（ｅｘｔｅｎｔ）に渡って一定の幅をそれぞれ有する。
【００３０】
逆に、好ましい実施の形態によれば、付加的な切り込み８’は一定の幅を有する。
【００３１】
好ましい実施の形態によれば、切り込み８の第２の部分１１は、第１の部分９の幅１３の、必ずしも整数倍ではない倍数の幅１４を有する一方で、部分９、１１の深さ１０、１２は、好ましくは同等又は近似である必要はなく、すなわち同じ桁の倍数であればよい。
【００３２】
上述のように、切り込み８は必ずしも底の接地面全体に渡って設けられる必要はなく、好ましくは、足中央領域３に限って設けられてもよく、あるいはそこに間近の隣接した位置に限って設けられてもよい。しかし、本発明においては、切り込み８も足前方領域及び足後方領域の一部に又は全体に設けられてもよいと考えられる。
【００３３】
ここで図３Ｂ及び３Ｃを参照して、通気穴１５は、切り込み８の第２の部分１１の底部まで延びるために、底１を開口している。好ましくは、通気穴１５は、第２の部分１１の底部まで延びるまで、接地面５の反対の表面５Ａから底１を貫通している。
【００３４】
好ましい実施の形態によれば、底１は軽量化領域２０を備え、軽量化領域２０は、接地面５に形成され、溝の形状でつま先から踵への方向Ｘに延びている。異なる形状の軽量化領域２０が図６Ａ〜６Ｃに示されている。
【００３５】
好ましくは、軽量化領域２０は、様々な幅を有し、足中央領域３で幅広くなってもよい。好ましくは、軽量化領域２０は、曲がって広がり、足中央領域３の中間で湾曲していてもよい。
【００３６】
実施の形態では、さらに軽量化領域２０は、足前方領域２及び足後方領域４それぞれから足中央領域３に向かって深くなってもよい。軽量化領域２０の深さは第２の部分１１の深さに達してもよい。
【００３７】
軽量化領域２０の形状は、歩行の際の足の自然の動きから発生する底のねじれ動作を助長する。さらに、軽量化領域２０の特性は、その領域における通気を改善させ、足中央領域３におけるその中央の配置及びより大きな開口は、軽量化領域が存在することで底の不浸透性及びその美的外観が過剰に損なわれることを防ぐ。
【００３８】
本発明が提示された課題を解決し、底の制御された湾曲とより大きな復元力を与え、足がさらに支持され、地面をしっかり捉えることができる結果として、歩行のあらゆる局面においてバランスを確保する実現性を含む多くの利点をもたらす。さらにこれらの利点は、軽量化と足の全体的な快適さをもたらすことで達成される。
【００３９】
（付記）
（付記１）
つま先から踵への方向（Ｘ）に延び、かつ前記つま先から踵への方向（Ｘ）によってその対向する両側（７Ａ、７Ｂ）が定められた側（７）によって外周が境界づけられた接地面（５）を有する弾力性のある構造部材を備える履物の底であって、当該底（１）は、前記つま先から踵への方向（Ｘ）を横切って延び、かつ前記対向する両側（７Ａ、７Ｂ）まで開いた複数の切り込み（８）を有し、前記切り込み（８）は、接地面（５）から当該底の中に第１の深さ（１０）まで延びる第１の部分（９）と、前記第１の部分（９）の下側の出口（１６）から当該底の中にさらなる深さ（１２）まで延びる第２の部分（１１）と、を備え、前記第１の部分（９）は、前記切り込み（８）の長手方向（Ｙ）に対して横方向に測って、前記第２の部分（１１）の対応する幅（１４）よりも狭い幅（１３）を有し、少なくとも前記切り込み（８）の前記第２の部分（１１）は、当該底（１）の側（７）を貫通しており、当該底（１）は、前記切り込み（８）の前記第２の部分（１１）の底部で開く通気穴（１５）を備えることを特徴とする、履物の底。
【００４０】
（付記２）
前記第１の部分（９）は、その第１の深さ（１０）全体に渡って一定の幅（１３）を有する、付記１に記載の履物の底。
【００４１】
（付記３）
前記切り込み（８）の幅は、前記第１の部分（９）と前記第２の部分（１１）との間の移行領域で不連続に変化する、付記１又は２に記載の履物の底。
【００４２】
（付記４）
前記切り込み（８）は、実質的にＴ型の横断面を有する、付記３に記載の履物の底。
【００４３】
（付記５）
前記第１の部分（９）の前記第１の深さ（１０）は、前記第２の部分（１１）の前記さらなる深さ（１２）の少なくとも半分に等しい長さ（ｅｘｔｅｎｔ）を有する、付記１〜４のいずれか一つに記載の履物の底。
【００４４】
（付記６）
前記第１の部分（９）は、前記切り込み（８）が、当該底が平らな状態では両側（７Ａ、７Ｂ）の少なくとも近くの第１の部分（９）で実質的に完全に閉じており、かつまた、前記当該底が曲げられた状態では両側（７Ａ、７Ｂ）の近くで本のような構造（ｂｏｏｋ−ｌｉｋｅ  ｃｏｎｆｉｇｕｒａｔｉｏｎ）で開いているような薄層構造（ｌａｍｉｎａｒ  ｆｏｒｍａｔｉｏｎ）を有する、付記１〜５のいずれか一つに記載の履物の底。
【００４５】
（付記７）
前記切り込み（８）の第２の部分（１１）は、第１の部分（９）の幅の、必ずしも整数倍ではない、倍数の幅を有する、付記１〜６のいずれか一つに記載の履物の底。
【００４６】
（付記８）
前記接地面（５）から当該底の中に各深さ（１０’）に渡って延び、かつ長手方向（Ｙ）に対して横方向に測って、各深さ（１０’）に渡って一定の幅（１３’）を有する補助的な切り込み（８’）を備える、付記１〜７のいずれか一つに記載の履物の底。
【００４７】
（付記９）
前記補助的な切り込み（８’）は、薄層構造を有する、付記８に記載の履物の底。
【００４８】
（付記１０）
前記補助的な切り込み（８’）は、前記切り込み（８）の前記第１の部分（９）における対応する深さ（１０）及び幅（１３２）と実質的に等しい深さ（１０’）及び幅（１３’）を有する、付記８又は９に記載の履物の底。
【００４９】
（付記１１）
前記補助的な切り込み（８’）は、足前方領域（２）及び／又は足後方領域（４）に集中している、付記８〜１０のいずれか一つに記載の履物の底。
【００５０】
（付記１２）
前記切り込み（８）は、足中央領域（３）に集中している、付記１〜１１のいずれか一つに記載の履物の底。
【００５１】
（付記１３）
前記つま先から踵への方向（Ｘ）に延びる１個以上の軽量化領域（２０）が前記接地面（５）に形成されている、付記１〜１２のいずれか一つに記載の履物の底。
【００５２】
（付記１４）
前記軽量化領域（２０）は、前記第２の部分（１１）まで延びている、付記１３に記載の履物の底。
【００５３】
（付記１５）
前記軽量化領域（２０）は、曲がって延びている、付記１３又は１４に記載の履物の底。
【００５４】
（付記１６）
前記軽量化領域（２０）は、曲がって延びて、中間で湾曲している、付記１５に記載の履物の底。
【００５５】
（付記１７）
前記軽量化領域（２０）の幅は、足中央領域（３）に向かって広くなり、対向する足前方領域（２）及び足後方領域（４）に向かって先細になっている、付記１３〜１６のいずれか一つに記載の履物の底。
【００５６】
（付記１８）
前記切り込み（８）の前記第１の部分（９）は、レーザー切断で形成された薄層構造を有する、付記１〜１７のいずれか一つに記載の履物の底。
【図１】
0006569041.tif 000002
【図２Ａ】
0006569041.tif 000003
【図２Ｂ】
0006569041.tif 000004
【図３Ａ】
0006569041.tif 000005
【図３Ｂ】
0006569041.tif 000006
【図３Ｃ】
0006569041.tif 000007
【図４】
0006569041.tif 000008
【図５Ａ】
0006569041.tif 000009
【図５Ｂ】
0006569041.tif 000010
【図６Ａ】
0006569041.tif 000011
【図６Ｂ】
0006569041.tif 000012
【図６Ｃ】
0006569041.tif 000013